(57)【要約】【課題】本考案は、葬祭の行事で使用するのにふさわしい、荘厳性のある石材製写真立てであって、写真立て本体と台座部材の嵌合保持も安定的に行える遺影用の石材製写真立てを提供するものである。【解決手段】円盤状を呈する写真立て本体と、この写真立て本体の下部を差し込んで垂直状に保持するための差込穴部を刻設した台座部材とからなり、この写真立て本体と台座部材の双方を石材にて形成し、前記写真立て本体の正面には写真を設置するための円形凹段部を刻設し、前記台座部材の差込穴部の幅寸法を写真立て本体の直径より小寸に形成し、差込穴部の奥行き寸法を写真立て本体の厚さ寸法より僅かに大きく形成したことを特徴とする遺影用の石材製写真立てである。【選択図】  図４
0003128006.tif 000002
【実用新案登録請求の範囲】
【請求項１】
円盤状を呈する写真立て本体と、この写真立て本体の下部を差し込んで垂直状に保持するための差込穴部を刻設した台座部材とからなり、この写真立て本体と台座部材の双方を石材にて形成し、前記写真立て本体の正面には写真を設置するための円形凹段部を刻設し、前記台座部材の差込穴部の幅寸法を写真立て本体の直径より小寸に形成し、差込穴部の奥行き寸法を写真立て本体の厚さ寸法より僅かに大きく形成したことを特徴とする遺影用の石材製写真立て。
【請求項２】
写真立て本体の、差込側下端に位置する側周壁に、差込方向の目印となるマークを付してなる請求項1記載の遺影用の石材製写真立て。
【考案の詳細な説明】
【技術分野】
【０００１】
本考案は、主として葬祭の行事で使用される遺影用の石材製写真立てに関する。
葬祭の現場では一般的に、葬祭の主役者を偲ぶ目的で顔写真（遺影）を掲げることが多く、その遺影を掲げるのにふさわしい写真立てとしては、大理石などの石材製のものが荘厳で、好適である。
【背景技術】
【０００２】
従来、葬祭の行事（葬祭場、墓前、祭壇の前など）で使用されていた写真立ては、金属フレーム、ガラスフレーム、合成樹脂フレームなどが中心であり、大理石などの石材製のものは存在しなかった。
【０００３】
さらに特許文献２に示されるように、陶磁器を使用し、そこに遺影を焼き付けて表示するものも考えられている。
【０００４】
【特許文献１】実用新案登録第３０１３６４３号公報
【特許文献２】実用新案登録第３０７７７５５号公報
【考案の開示】
【考案が解決しようとする課題】
【０００５】
しかし、特許文献２に示される写真立てにあっては、人為的に形作った後に焼き上げ形成する工程を経る陶磁器製であるため、重量感があり幅厚の大理石などの石材製のものと比較するとどうしても荘厳性に欠けるという嫌いがあった。
さらに、特許文献２のものでは遺影表示部たる写真立て本体と、その本体を支持する台座部材を嵌合保持させる構造を採用した場合、嵌合保持部の寸法制度を向上させることが材質の特性上困難であり、結果的に安定感のある嵌合保持ができなくなるという問題点があった。
本考案は、上述の問題点をすべて解消した、遺影用の石材製写真立てを提供するものである。
【課題を解決するための手段】
【０００６】
上記目的を達成するために請求項１の考案は、円盤状を呈する写真立て本体と、この写真立て本体の下部を差し込んで垂直状に保持するための差込穴部を刻設した台座部材とからなり、この写真立て本体と台座部材の双方を石材にて形成し、前記写真立て本体の正面には写真を設置するための円形凹段部を刻設し、前記台座部材の差込穴部の幅寸法を写真立て本体の直径より小寸に形成し、差込穴部の奥行き寸法を写真立て本体の厚さ寸法より僅かに大きく形成したことを特徴とする遺影用の石材製写真立てである。
【０００７】
また請求項２の考案は、写真立て本体の、差込側下端に位置する側周壁に、差込方向の目印となるマークを付してなる請求項1記載の遺影用の石材製写真立てである。
【考案の効果】
【０００８】
上記した請求項1に係る遺影用の石材製写真立ては、全体を石材製としたので重量感と厚みがあるため、見た目の外観性も向上し、荘厳性がある遺影用の石材製写真立てが得られるという効果がある。
【０００９】
さらに、差込穴部に写真立て本体ががたつきのない状態で保持されるため、見栄えの良い遺影用の石材製写真立てとなる効果がある。
【００１０】
また請求項２に係る考案は、加工の難しい石材製の写真立てであるため、どんなに正確に石材の加工を行っても、写真立て本体の厚さ寸法には若干のバラツキが出てしまうが、その場合にあっても事前に嵌合させた最適位置を調べて、その最適位置にマークを付しておくことで、そのマークを目印として、なんらの苦労なく写真立て本体を台座部材の差込穴部にぴったりと収まるように嵌合保持させることができるので、使用性は一層向上することになる。
【考案を実施するための最良の形態】
【００１１】
以下添付図面に基づいて、本考案に係る遺影用の石材製写真立ての一実施の形態を詳説する。
図１は本考案に係る遺影用の石材製写真立ての斜視図、図２は同正面図、図３は前図のＡ−Ａ線断面図、図４は同分解斜視図、図５は台座部材の底面側の斜視図である。
【００１２】
図１に示す遺影用の石材製写真立て１は、写真立て本体２と台座部材３とで構成され、いずれも大理石などの石材で形成されている。
写真立て本体２は、好ましくは円盤状を呈するように形成され、その正面には円形凹段部４が一段又は二段状に形成されている。この円形凹段部４には円形状にカットした写真が貼設などの適宜手段で収められるようになっている。また貼設された写真の上面には、保護カバー用のラミネートフィルムを重ねることもできる。
【００１３】
一方台座部材３の天面には差込穴部５が刻設されており、この差込穴部５の幅寸法Ｌ１は写真立て本体２の直径Ｌ３より小寸に形成され、差込穴部５の奥行き寸法Ｌ２は写真立て本体２の厚さ寸法Ｌ４より僅かに大きく形成されている。
また写真立て本体２の差込側下端に位置する側周壁６には、差込方向の目印となるマーク７を付することが可能であり、このマーク７の存在により、そのマーク７を目印にして、写真立て本体２を台座部材３の差込穴部５に差し込むと、最も安定的でがたつきの少ない位置で写真立て本体２と台座部材３をはめ込み嵌合できるという効果が得られる。
【００１４】
また符号８は台座部材３の下面に設けた滑り止め部材であり、滑り易い場所に石材製写真立て１を安定的に設置するのに都合が良い。
【産業上の利用可能性】
【００１５】
なお、本考案の遺影用の石材製写真立ては、本実施の形態に限定されることなく、本考案の目的の範囲内で自由に変更し得るものであり、本考案はそれらの全てを包摂するものである。
この遺影用の石材製写真立ては、葬祭の行事の現場で使用することができる。
【図面の簡単な説明】
【００１６】
【図１】本考案に係る遺影用の石材製写真立ての斜視図である。
【図２】同正面図である。
【図３】前図のＡ−Ａ線断面図である。
【図４】同分解斜視図である。
【図５】台座部材の底面側の斜視図である。
【符号の説明】
【００１７】
１…石材製写真立て
２…写真立て本体
３…台座部材
４…円形凹段部
５…差込穴部
Ｌ１…差込穴部の幅寸法
Ｌ２…差込穴部の奥行き寸法
Ｌ３…写真立て本体の直径
Ｌ４…写真立て本体の厚さ寸法
６…写真立て本体の側周壁
７…マーク
８…滑り止め部材
【図１】
0003128006.tif 000003
【図２】
0003128006.tif 000004
【図３】
0003128006.tif 000005
【図４】
0003128006.tif 000006
【図５】
0003128006.tif 000007